(57)【要約】  【課題】急凍機能動作時に冷蔵室の冷え過ぎをなくし冷凍室に投入した食品を早急に冷凍させることを図る。  【解決手段】冷蔵室２７を冷却する冷蔵室吐出風路３４及び冷蔵室戻り風路３５と、冷蔵室吐出風路内部に備えた機械式ダンパー３９と、冷凍室２８内に設けられた冷凍室温度感知センサー４０と、圧縮機を強制的に運転させる急凍スイッチ４５とを備え、急凍スイッチ４５が入れられた時に、冷気強制循環用送風機３２を低速運転とすることにより、安価で簡素な機械式ダンパー３９を備えた冷凍冷蔵庫において、急凍機能動作時に冷蔵室２７の冷え過ぎをなくし冷凍室２８に投入した食品を早急に冷凍させることができる。【選択図】図１
2007292333.tif 000002
【特許請求の範囲】
【請求項１】
仕切壁によって上部が冷蔵室下部が冷凍室に区画された断熱箱体と、圧縮機と、前記冷凍室の奥部に設けられた冷却器と冷気強制循環用送風機と、前記冷蔵室を冷却する冷蔵室吐出風路及び冷蔵室戻り風路と、前記冷蔵室吐出風路内部に備えた機械式ダンパーと、前記冷凍室内に設けられた冷凍室温度感知センサーと、前記圧縮機を強制的に運転させる急凍スイッチとを備え、前記急凍スイッチが入れられた時に、冷気強制循環用送風機を低速運転とする制御を行うことを特徴とする冷凍冷蔵庫。
【請求項２】
冷蔵室吐出風路を冷蔵室背面に配置し、前記機械式ダンパーは、前記冷蔵室吐出風路の出口部近傍に配置したことを特徴とする請求項１に記載の冷凍冷蔵庫。
【請求項３】
急凍機能動作時に、急凍スイッチが入れられた後に予め設定された一定時間は前記冷気強制循環用送風機を通常運転し、一定時間経過後に前記冷気強制循環用送付機を低速運転することを特徴とする請求項１または２に記載の冷凍冷蔵庫。
【請求項４】
外気温度を感知する外気温感知センサーを備え、外気温度によって低速運転する運転速度を可変することを特徴とする請求項１から３のいずれか一項に記載の冷凍冷蔵庫。
【発明の詳細な説明】
【技術分野】
【０００１】
本発明は、冷蔵室の自動温度調節装置に機械式ダンパーを用い、急凍機能を備えてなる冷凍冷蔵庫に関するものである。
【背景技術】
【０００２】
従来、この種の冷凍冷蔵庫の急凍機能としては、仕切壁を備えた冷蔵庫本体の断熱箱体と、前記仕切壁により区分された冷蔵室及び冷凍室と、前記断熱箱体下部に設置された圧縮機と、冷凍室奥部に設けられた冷却室と、前記冷却室内に設けられた冷却器及び冷気強制循環用送風機及び除霜用ヒータを有しているものがある（例えば、特許文献１、２参照）。
【０００３】
図７及び図８は、特許文献１に記載された従来の冷凍冷蔵庫を示すものである。図７及び図８に示すように、冷蔵庫本体の断熱箱体１と、仕切壁２と、冷蔵室３と、冷凍室４と、圧縮機５と、冷却室６と、冷却器７と、冷気強制循環用送風機８と、除霜ヒータ９と、冷蔵室吐出風路１０と、第一の冷蔵室戻り風路１１と、自動温度調節装置１２と、冷蔵室冷気吐出口１３と、冷蔵室冷気吸込み口１４と、電動ダンパー１５と、第二の冷蔵室戻り風路１６と、冷凍室温度センサー１７と、冷蔵室温度センサー１８と、制御回路１９と、圧縮機用リレー２０と、ダンパー用リレー２１と、冷凍室冷気吐出口２２と、冷凍室冷気吸込み口２３とで構成されている。
【０００４】
以上のように構成された冷凍冷蔵庫について、以下その動作を説明する。
【０００５】
まず、圧縮機５の運転時は、冷却器７で冷却された冷気が圧縮機５の運転と連動した冷気強制循環用送風機８の運転により、冷凍室冷気吐出口２２から冷凍室４へ供給された後、冷凍室冷気吸込み口２３より冷却器７の下部へ戻ることにより冷凍室４を冷却する。
【０００６】
一方、冷蔵室３は、冷気が、冷蔵室吐出風路１０を通り自動温度調節装置１２を介し、冷蔵室冷気吐出口１３から冷蔵室３へ供給された後、冷蔵室冷気吸込み口１４から第一の冷蔵室冷蔵室戻り風路１１及び第二の冷蔵室戻り風路１６を通じ冷却器７の下部へ戻ることにより冷却される。
【０００７】
圧縮機５の運転停止時は、冷気強制循環用送風機８の運転も停止し、上記した冷気の流れは生じない。
【０００８】
圧縮機５の運転制御は、冷凍室温度感知センサー１７の温度を制御回路１９が読み取り、設定温度との比較で圧縮機リレー２０に信号を送り、圧縮機５を運転・停止させることにより行っている。例えば、冷凍室温度感知センサー１７の温度が設定温度より高いときは、圧縮機５を運転し、冷凍室４が冷却される。逆に、冷凍室温度感知センサー１７の温度が設定温度より低いときは、圧縮機５の運転は停止し、以降、冷凍室４は冷却されなくなる。
【０００９】
圧縮機５の運転時に冷蔵室３に供給される冷気量は、冷蔵室温度感知センサー１８の温度を制御回路１９が読み取り、設定温度との比較でダンパー用リレー２１に信号を送り、電動ダンパー１５を開閉させることにより、調整されている。例えば、冷蔵室温度感知センサー１８の温度が設定温度より高いときは、電動ダンパー１５が開状態となり、冷気が供給されて冷蔵室３が冷却される。逆に、冷蔵室温度感知センサー１８の温度が設定温度より低いときは、電動ダンパー１５が閉状態となり、冷気の供給が止まり冷蔵室３は以降
冷却されなくなる。
【００１０】
以上のようにして、冷気が冷凍室４及び冷蔵室３内を循環することにより、各室が所定の温度に冷却される。
【００１１】
また、図９は、上記通常運転時の制御状態を示したタイムチャートである。まず、圧縮機５の停止中、ｔ０で冷蔵室温度感知センサー１８の温度が電動ダンパー１５の閉設定温度から開設定温度に至り、電動ダンパー１５が閉から開になる。次に、ｔ１で冷凍室温度センサー１７の温度が圧縮機運転開始設定温度より高くなり、圧縮機５が運転を開始する。その後、ｔ２で冷蔵室温度感知センサー１８の温度が電動ダンパー１５の開設定温度から閉設定温度に至り、電動ダンパー１５が開から閉になる。最後に、ｔ３で冷凍室温度センサー１７の温度が圧縮機運転停止設定温度より低くなり、圧縮機５が運転を停止する。以降、ｔ４〜ｔ１１で、同様の制御を繰り返す。
【００１２】
また、図１０は、冷凍室４に投入した食品を早急に冷凍させる為に、圧縮機を一定時間強制的に連続運転させることができる急凍機能動作時の制御状態を示したタイムチャートである。ｔ１２〜ｔ１６までは、前記通常運転時のｔ０〜ｔ４と同一の制御を行っている。次に、ｔ１７で使用者が急凍スイッチ２４を入れると、冷凍室温度感知センサー１７の温度に関係なく、圧縮機５が一定時間連続運転する。その後、急凍中に、ｔ１８で冷蔵室温度感知センサー１８の温度が電動ダンパー１５の開設定温度から閉設定温度に至り、電動ダンパー１５が開から閉になる。続いて、ｔ２０で急凍が終了し、圧縮機５が運転を停止する。ついで、ｔ２１で冷蔵室温度感知センサー１８の温度が電動ダンパー１５の閉設定温度から開設定温度に至り、電動ダンパー１５が閉から開になり、通常運転状態に戻る。
【特許文献１】特開平５−７１８５０号公報
【特許文献２】特開平７−１４６０５３号公報
【発明の開示】
【発明が解決しようとする課題】
【００１３】
しかしながら、上記従来の構成では、急凍中に冷蔵室温度感知センサーが閉設定温度以下になった時に、電動ダンパーを全閉することで、冷蔵室の冷え過ぎを防止していたため、高価な電動ダンパーを必要とし、電動ダンパーを駆動させるための制御回路も必要とするためコストが高くなるという課題を有していた。
【００１４】
本発明は上記従来の課題を解決するもので、安価で簡素な機械式ダンパーを備えた冷凍冷蔵庫で、急凍機能動作時に、冷蔵室の冷え過ぎをなくすことができるようにした冷凍冷蔵庫を提供することを目的とする。
【課題を解決するための手段】
【００１５】
上記従来の課題を解決するために、本発明の冷凍冷蔵庫は、仕切壁によって上部が冷蔵室下部が冷凍室に区画された断熱箱体と、圧縮機と、前記冷凍室の奥部に設けられた冷却器と冷気強制循環用送風機と、前記冷蔵室を冷却する冷蔵室吐出風路及び冷蔵室戻り風路と、前記冷蔵室吐出風路内部に備えた機械式ダンパーと、前記冷凍室内に設けられた冷凍室温度感知センサーと、前記圧縮機を強制的に運転させる急凍スイッチとを備え、前記急凍スイッチが入れられた時に、冷気強制循環用送風機を低速運転とするものである。
【００１６】
これによって、急凍機能動作時の冷蔵室の冷え過ぎをなくし冷凍室に投入した食品を早急に冷凍することができる。
【発明の効果】
【００１７】
本発明の冷凍冷蔵庫は、急凍機能動作時の冷気強制循環用送風機の運転を通常運転時よりも低速運転とすることにより、安価で簡素な機械式ダンパーを備えた冷凍冷蔵庫において、急凍機能動作時に冷蔵室の冷え過ぎをなくし冷凍室に投入した食品を早急に冷凍させることができる。
【発明を実施するための最良の形態】
【００１８】
請求項１に記載の発明は、仕切壁によって上部が冷蔵室下部が冷凍室に区画された断熱箱体と、圧縮機と、前記冷凍室の奥部に設けられた冷却器と冷気強制循環用送風機と、前記冷蔵室を冷却する冷蔵室吐出風路及び冷蔵室戻り風路と、前記冷蔵室吐出風路内部に備えた機械式ダンパーと、前記冷凍室内に設けられた冷凍室温度感知センサーと、前記圧縮機を強制的に運転させる急凍スイッチとを備え、前記急凍スイッチが入れられた時に、冷気強制循環用送風機を低速運転とするものであり、安価で簡素な機械式ダンパーを備えた冷凍冷蔵庫において、急凍機能動作時に冷蔵室の冷え過ぎをなくし冷凍室に投入した食品を早急に冷凍させることができる。
【００１９】
請求項２に記載の発明は、請求項１に記載の発明において、冷蔵室吐出風路を冷蔵室背面に配置し、前記機械式ダンパーは、前記冷蔵室吐出風路の出口部近傍に配置したものであり、冷気強制循環用送風機の低速運転による冷蔵室冷え過ぎをさらに効率よく防止できる。
【００２０】
請求項３に記載の発明は、請求項１または２に記載の発明において、急凍機能動作時に、急凍スイッチが入れられた後に予め設定された一定時間は前記冷気強制循環用送風機を通常運転し、一定時間経過後に前記冷気強制循環用送付機を低速運転するものであり、安価で簡素な機械式ダンパーを備えた冷凍冷蔵庫において、さらに効率的に急凍機能動作時に冷蔵室の冷え過ぎをなくし冷凍室に投入した食品を早急に冷凍させることができる。
【００２１】
請求項４に記載の発明は、請求項１から３のいずれか一項に記載の発明において、外気温度を感知する外気温感知センサーを備え、外気温度によって低速運転する運転速度を可変するものであり、安価で簡素な機械式ダンパーを備えた冷凍冷蔵庫において、さらに効率的に急凍機能動作時に冷蔵室の冷え過ぎをなくし冷凍室に投入した食品を早急に冷凍させることができる。
【００２２】
（実施の形態１）
図１は、本発明の実施の形態１における冷凍冷蔵庫の正面図である。図２は、本発明の実施の形態１における冷凍冷蔵庫の断面図である。図３は、本発明の実施の形態１における冷凍冷蔵庫の制御状態を示したタイムチャートである。
【００２３】
図１及び図２において、冷蔵庫本体の断熱箱体２５は、仕切壁２６によって上部に冷蔵室２７、下部に冷凍室２８に区画されている。圧縮機２９は、断熱箱体２５の下部に配置され、冷凍室２８の奥部には冷却室３０が配置され、冷却室３０内には、冷却器３１が配置され、冷却器３１の上部に冷気強制循環用送風機３２、下部に除霜ヒータ３３が配置されている。冷気強制循環用送風機３２の上部で冷蔵室背面の略全高に亘って冷蔵室冷気吐出風路３４が配置され、冷蔵室冷気吐出風路３４の出口である上部には機械室ダンパー３９を備えた自動温度調節装置３６が配置されている。冷蔵室２７の奥部内側には冷蔵室冷気吐出口３７と冷蔵室冷気吸込み口３８が配置され、冷蔵室冷気吸込み口３８から冷気を冷却器３１の下部へ流すための冷蔵室戻り風路３５が配置され、冷凍室２８奥部内側には冷却室３０で冷却された冷気を吐出するための冷凍室冷気吐出口４３と、冷気を冷却器３１の下部へ流すための冷凍室吸込み口４４が配置され、断熱箱体２５の背面側には、圧縮機用リレー４２を備えた制御回路４１が配置されている。
【００２４】
そして、急凍スイッチ４５が冷蔵室２７の庫内壁面に設けられ、急凍スイッチ４５を押すことにより制御回路４１を介して圧縮機２９および冷気強制循環用送風機３２を所定時間連続運転制御する。
【００２５】
以上のように構成された冷凍冷蔵庫について、以下その動作、作用を説明する。
【００２６】
まず、圧縮機２９の運転時は、冷却器３１で冷却された冷気が圧縮機２９の運転と連動した冷気強制循環用送風機３２の運転により、冷凍室冷気吐出口４４から冷凍室２８へ供給された後、冷凍室冷気吸込み口４４より冷却器３１の下部へ戻ることにより冷凍室２８を冷却される。
【００２７】
圧縮機２９の運転停止時は、冷気強制循環用送風機３２の運転も停止し、上記した冷気の流れは生じない。
【００２８】
圧縮機２９の運転制御は、冷凍室温度感知センサー４０の温度を制御回路４１が読み取り、設定温度との比較で圧縮機用リレー４２に信号を送り、圧縮機２９を運転・停止させることにより行っている。例えば、冷凍室温度感知センサー４０の温度が設定温度より高いときは、圧縮機２９を運転し、冷凍室２８が冷却される。逆に、冷凍室温度感知センサー４１の温度が設定温度より低いときは、圧縮機２９の運転は停止し、以降冷凍室２８は冷却されなくなる。
【００２９】
圧縮機２９の運転時に冷蔵室２７に供給される冷気量は、自動温度調節装置３６に備えられた機械式ダンパー３９を開閉させることにより、調整されている。例えば、自動温度調節装置３６の温度が設定温度より高いときは、機械式ダンパー３９が開状態となり、冷気が供給され冷蔵室２７が冷却される。逆に、自動温度調節装置３６の温度が設定温度より低いときは、機械式ダンパー３９が閉状態となり、冷気の供給が止まり冷蔵室２７は以降冷却されなくなる。
【００３０】
図３において、圧縮機２９の停止中ｔ２３で冷凍室温度感知センサー４０の温度が圧縮機２９の運転開始設定温度より高くなり、圧縮機２９が運転を開始する。その後、ｔ２４で冷凍室温度センサー４０の温度が圧縮機２９の運転停止設定温度より低くなり、圧縮機２９が運転を停止する。ｔ２３からｔ２４の間は冷気強制循環用送風機３２は通常運転している。その後、ｔ２５で冷凍室温度感知センサー４０の温度が圧縮機２９の運転開始設定温度より高くなり、圧縮機２９が運転を開始する。
【００３１】
そして、ｔ２６で急凍スイッチ４５が入れられると、冷気強制循環用送風機３２の運転速度が低速運転となる。ｔ２７で冷凍室温度センサー４０の温度が圧縮機２９の運転停止設定温度より低くなるが、急凍機能動作時は予め設定された一定時間圧縮機２９は連続運転し、一定時間経過後のｔ２８で圧縮機２９及び冷気強制循環用送風機３２の運転を停止する。
【００３２】
上記の繰り返しにより、冷蔵室２７及び冷凍室２８は冷却されているが、機械式ダンパー３９は庫内温度による検知管内部のガス圧の変化によりフラップを動作させる構造のため、温度変化に対する追従性が悪く、また完全に閉状態とはなり難い構造により、冷凍室２８に投入した食品を早急に冷凍させる為に、急凍スイッチ４５が入れられると、圧縮機２９は予め設定された一定時間強制的に連続運転となる急凍機能動作状態となり、冷気強制循環用送風機３２も連続運転となるが、冷気強制循環用送風機３２が通常運転速度のままでは、冷蔵室２７への冷気量が過大となり、冷蔵室が冷え過ぎとなるが、本実施の形態では、急凍スイッチ４５が入れられると、冷気強制循環用送風機３２の運転速度を低速運転とすることにより、冷蔵室２７への冷気量が減り、冷蔵室２７が冷え過ぎとなることを防止できるとともに、冷凍室２８に投入した食品を早急に冷凍させることができる。
【００３３】
また、冷蔵室吐出風路３４を冷蔵室２７の背面に配置し、機械式ダンパー３９は、冷蔵室吐出風路３４の出口部近傍に配置しているので、冷気強制循環用送風機３２の低速運転による冷蔵室２７の冷え過ぎをさらに効率よく防止することができる。
【００３４】
（実施の形態２）
図４は、本発明の実施の形態２における冷凍冷蔵庫の制御状態を示したタイムチャートである。
【００３５】
図４において、圧縮機２９の停止中ｔ２９で冷凍室温度感知センサー４０の温度が圧縮機２９の運転開始設定温度より高くなり、圧縮機２９が運転を開始する。その後、ｔ３０で冷凍室温度センサー４０の温度が圧縮機２９の運転停止設定温度より低くなり、圧縮機２９が運転を停止する。ｔ２９からｔ３０の間は冷気強制循環用送風機３２は通常運転している。その後、ｔ３１で冷凍室温度感知センサー４０の温度が圧縮機２９の運転開始設定温度より高くなり、圧縮機２９が運転を開始する。
【００３６】
そして、ｔ３２で急凍スイッチ４５が入れられると、予め設定された一定時間冷気強制循環用送風機３２の運転速度をそのままの通常運転となる。一定時間経過後のｔ３３で冷気強制循環用送風機３２の運転速度が低速運転となる。急凍機能動作時は予め設定された一定時間圧縮機２９は連続運転し、一定時間経過後のｔ３４で圧縮機２９及び冷気強制循環用送風機３２の運転を停止する。
【００３７】
これにより、冷蔵室２７の初期の冷却性能を維持しながら、急凍機能動作時による特に中後期の課題である冷蔵室２７の冷え過ぎを抑えることができるとともに、冷凍室２８に投入した食品を早急に冷凍させることができる。
【００３８】
（実施の形態３）
図５は、本発明の実施の形態３における冷凍冷蔵庫の断面図である。図６は、本発明の実施の形態３における冷凍冷蔵庫の制御状態を示したタイムチャートである。
【００３９】
図５において、冷蔵庫本体の断熱箱体２５は、仕切壁２６によって上部に冷凍室２７、下部に冷凍室２８に区画されている。圧縮機２８は、断熱箱体２５の下部に配置され、冷凍室２８の奥部には冷却室３０が配置され、冷却室３０内には、冷却器３１が配置され、冷却器３１の上部に冷気強制循環用送風機３２、下部に除霜ヒータ３３が配置されている。冷気強制循環用送風機３２の上部には、冷蔵室冷気吐出風路３４が配置され、冷蔵室冷気吐出風路３４の上部には機械式ダンパー３９を備えた自動温度調節装置３６が配置されている。冷蔵室２７の奥部内側には冷蔵室冷気吐出口３７と冷蔵室冷気吸込み口３８が配置され、冷蔵室冷気吸込み口３８から冷気を冷却器３１の下部へ流すための冷蔵室戻り風路３５が配置され、冷凍室２８奥部内側には冷却室３０で冷却された冷気を吐出するための冷凍室冷気吐出口４３と、冷気を冷却器３１の下部へ流すための冷凍室吸込み口４４が配置され、断熱箱体２５の背面側には、圧縮機用リレー４２及び外気温度感知センサー４６を備えた制御回路４７が配置されている。
【００４０】
以上のように構成された冷凍冷蔵庫について、以下その動作、作用を説明する。
【００４１】
まず、圧縮機２９の運転時は、冷却器３１で冷却された冷気が圧縮機２９の運転と連動した冷気強制循環用送風機３２の運転により、冷凍室冷気吐出口４３から冷凍室２８へ供給された後、冷凍室冷気吸込み口４４より冷却器３１の下部へ戻ることにより冷凍室２８を冷却される。
【００４２】
圧縮機２９の運転停止時は、冷気強制循環用送風機３２の運転も停止し、上記した冷気の流れは生じない。
【００４３】
圧縮機２９の運転制御は、冷凍室温度感知センサー４０の温度を制御回路４７が読み取り、設定温度との比較で圧縮機用リレー４２に信号を送り、圧縮機２９を運転・停止させることにより行っている。例えば、冷凍室温度感知センサー４０の温度が設定温度より高いときは、圧縮機２９を運転し、冷凍室２８が冷却される。逆に、冷凍室温度感知センサー４１の温度が設定温度より低いときは、圧縮機２９の運転は停止し、以降冷凍室２８は冷却されなくなる。
【００４４】
圧縮機２９の運転時に冷蔵室２７に供給される冷気量は、自動温度調節装置３６に備えられた機械式ダンパー３９を開閉させることにより、調整されている。例えば、自動温度調節装置３６の温度が設定温度より高いときは、機械式ダンパー３９が開状態となり、冷気が供給され冷蔵室２７が冷却される。逆に、自動温度調節装置３６の温度が設定温度より低いときは、機械式ダンパー３９が閉状態となり、冷気の供給が止まり冷蔵室２７は以降冷却されなくなる。
【００４５】
図６において、圧縮機２９の停止中ｔ３５で冷凍室温度感知センサー４０の温度が圧縮機２９の運転開始設定温度より高くなり、圧縮機２９が運転を開始する。その後、ｔ３６で冷凍室温度センサー４０の温度が圧縮機２９の運転停止設定温度より低くなり、圧縮機２９が運転を停止する。ｔ３５からｔ３６の間は冷気強制循環用送風機３２は通常している。その後、ｔ３６で冷凍室温度感知センサー４０の温度が圧縮機２９の運転開始設定温度より高くなり、圧縮機２９が運転を開始する。
【００４６】
そして、ｔ３８で急凍スイッチ４５が入れられると、外気温度を感知センサー４６で感知された外気温度を制御回路４７が読み取り、予め設定された温度Ｔ１以上であれば、冷気強制循環用送風機３２の運転速度が低速運転１となる。急凍機能動作時は予め設定された一定時間圧縮機２９は連続運転し、一定時間経過後のｔ３９で圧縮機２９及び冷気強制循環用送風機３２の運転を停止する。
【００４７】
更に、圧縮機２９の停止中ｔ４０で冷凍室温度感知センサー４０の温度が圧縮機２９の運転開始設定温度より高くなり、圧縮機２９が運転を開始する。その後、ｔ４１で冷凍室温度センサー４０の温度が圧縮機２９の運転停止設定温度より低くなり、圧縮機２９が運転を停止する。ｔ４０からｔ４１の間は冷気強制循環用送風機３２は通常している。その後、ｔ４２で冷凍室温度感知センサー４０の温度が圧縮機２９の運転開始設定温度より高くなり、圧縮機２９が運転を開始する。
【００４８】
そして、ｔ４３で急凍スイッチ４６が入れられると、外気温度を感知センサー４６で感知された外気温度を制御回路４７が読み取り、予め設定された温度Ｔ１より低い温度であれば、冷気強制循環用送風機３２の運転速度が低速運転２となる。急凍機能動作時は予め設定された一定時間圧縮機２９は連続運転し、一定時間経過後のｔ３９で圧縮機２９及び冷気強制循環用送風機３２の運転を停止する。なお、低速運転２の運転速度は低速運転１より低く設定している。
【００４９】
これにより、急凍機能動作時の外気温度により適切な冷蔵室２７の冷え過ぎ防止を図ることができるとともに、冷凍室２８に投入した食品を早急に冷凍させることができる。
【産業上の利用可能性】
【００５０】
以上のように、本発明にかかる冷凍冷蔵庫は、冷蔵室２７が冷え過ぎとなることをなくし、冷凍室に投入した食品を早急に冷凍させることが可能となるので、急凍機能を備えた冷凍冷蔵機器等の用途に適用できる。
【図面の簡単な説明】
【００５１】
【図１】本発明の実施の形態１における冷凍冷蔵庫の正面図
【図２】本発明の実施の形態１における冷凍冷蔵庫の断面図
【図３】本発明の実施の形態１における冷凍冷蔵庫の制御状態を示したタイムチャート
【図４】本発明の実施の形態２における冷凍冷蔵庫の制御状態を示したタイムチャート
【図５】本発明の実施の形態３における冷凍冷蔵庫の断面図
【図６】本発明の実施の形態３における冷凍冷蔵庫の制御状態を示したタイムチャート
【図７】従来の冷凍冷蔵庫の正面図
【図８】従来の冷凍冷蔵庫の断面図
【図９】従来の冷凍冷蔵庫の制御状態を示したタイムチャート
【図１０】従来の冷凍冷蔵庫の急凍機能動作時の制御状態を示したタイムチャート
【符号の説明】
【００５２】
２５  断熱箱体
２６  仕切壁
２７  冷蔵室
２８  冷凍室
２９  圧縮機
３１  冷却器
３２  冷気強制循環用送風機
３４  冷蔵室吐出風路
３５  冷蔵室戻り風路
３９  機械式ダンパー
４０  冷凍室温度感知センサー
４１  制御回路
４５  急凍スイッチ
４６  外気温度感知センサー
４７  制御回路
【図１】
2007292333.tif 000003
【図２】
2007292333.tif 000004
【図３】
2007292333.tif 000005
【図４】
2007292333.tif 000006
【図５】
2007292333.tif 000007
【図６】
2007292333.tif 000008
【図７】
2007292333.tif 000009
【図８】
2007292333.tif 000010
【図９】
2007292333.tif 000011
【図１０】
2007292333.tif 000012